(57)【特許請求の範囲】
【請求項１】
画像が印刷された印刷物、
携帯端末、
前記携帯端末と通信ネットワークを介在して通信可能に接続される一または複数のサーバーからなる印刷画像を利用するコンテンツ配信システムであって、
前記携帯端末は、
印刷物の画像の一区画を撮影して区画撮影画像を得るカメラと、
前記区画撮影画像をサーバーに送信する送信手段と、
前記区画撮影画像に応じてサーバーから配信される特定コンテンツを受信する受信手段と、
前記特定コンテンツを再生する再生手段を備え、
前記サーバーは、
印刷物に印刷された画像の一区画及び全区画である区画基準画像であって、異なる区画に各々対応し、少なくとも単一の前記一区画を含みかつ前記全区画を含む複数の区画基準画像が予め記憶された区画基準画像記憶部と、
前記複数の区画基準画像に対応する複数のコンテンツを予め記憶したコンテンツ記憶部を備え、
前記携帯端末から送信された区画撮影画像を受取る受取り手段と、
前記区画基準画像記憶部に記憶された区画基準画像を参照して、前記受取った区画撮影画像に最も類似する特定の区画基準画像を定める画像識別手段と、
前記画像識別手段により定められた特定区画基準画像に基づいて、前記携帯端末に配信するコンテンツを前記コンテンツ記憶部から選択するコンテンツ選択手段と、
前記コンテンツ選択手段が選択した特定コンテンツを前記携帯端末に配信する配信手段を備えた、印刷画像を利用するコンテンツ配信システム。
【請求項２】
前記携帯端末の前記送信手段は、前記区画撮影画像をサーバーに送信すると共に携帯端末特定情報をサーバーに送信する送信手段であり、
前記サーバーは、
携帯端末特定情報と前記携帯端末に対応する属性を予め記憶した端末情報記憶部を備え、
前記コンテンツ記憶部は、前記属性と前記複数の区画基準画像に対応する複数のコンテンツを予め記憶しているコンテンツ記憶部であり、
前記サーバーの前記受取り手段は、前記携帯端末から送信された携帯端末特定情報と区画撮影画像を受取る受取り手段であり、
前記コンテンツ選択手段は、受取った携帯端末特定情報に基づいて前記端末情報記憶部に記憶された属性を取得し、取得した属性と前記画像識別手段により定められた特定区画基準画像に基づいて、前記携帯端末に配信するコンテンツを前記コンテンツ記憶部から選択するコンテンツ選択手段であることを特徴とする請求項１に記載した印刷画像を利用するコンテンツ配信システム。
【発明の詳細な説明】
【技術分野】
【０００１】
本発明は、印刷画像を利用するコンテンツ配信システムに関するものである。より詳しくは、ポスター、ちらし、雑誌などの印刷物の画像撮影を契機としてコンテンツ配信が要求され、当該撮影した画像に対応したコンテンツが配信されるシステムに関するものである。
【背景技術】
【０００２】
ポスターや雑誌の広告頁などは瞬時の訴求効果が要求されることなどから、全体としての印象が優先されるので、詳細な情報を含めることが難しい。ポスターなどの閲覧に引き続いて、詳細な情報が得られるならば、看る者にとって有用である。これは広告主にとっても、広告効果の向上につながる。そして、当該詳細な情報は、個人の状態に適合していることがさらに好ましい。
【０００３】
従来、ネットワークにより接続される携帯端末とサーバーから構成され、広告の近傍に付された場所識別子と個々の広告に付された広告識別子を携帯端末からサーバーに送信すると、場所と広告に適合する広告情報が携帯端末に配信される広告情報管理システムが提案されている。そして、一の好ましい実施態様によれば、場所識別子と広告識別子は、ＲＦＩＤに格納され、この情報を無線通信により携帯端末に読み出す広告情報管理システムも提案されている。（例えば、特許文献１参照。）。
【特許文献１】特開２００５−２１５９４８号公報
【発明の開示】
【発明が解決しようとする課題】
【０００４】
広告閲覧などは、通常意図した事態ではなく偶発的に遭遇する事態であり、引き続き詳細情報の要求まで継続して行われるためには、詳細情報要求操作が物理的に簡便であり、心理的に気軽に行える操作であることが求められる。
【０００５】
上記従来の広告情報管理システムでは、場所識別子と広告識別子の入力操作が必要であり、気軽にシステムに参加してもらうには難がある。
【０００６】
ＲＦＩＤを使用すれば、入力操作は不要になるが、ＲＦＩＤの費用が発生し、また、現状では無線通信可能距離が限られるので、携帯端末を至近距離まで近づける必要があり、やはり、気軽にシステムに参加してもらうには難がある。
【０００７】
ＲＦＩＤに代替して、一次元バーコードや二次元バーコードを用いることも考えられるが、バーコード判読のために、携帯端末を至近距離まで近づける必要があり、やはり、気軽にシステムに参加してもらうには難がある。そして、これらバーコードは、無味乾燥あるいは機械的な印象を与える。さらに、また、バーコード判読のために、携帯端末を至近距離まで近づける様子は、いかにも、詳細情報を欲している心理状態を公衆の面前にさらすことになり、システム参加を妨げる心理要因になる。
【０００８】
そこで、本発明は、物理的要因と心理的要因の両面から気軽にシステムに参加可能な、コンテンツ配信システムを得ることを課題とする。
【０００９】
本発明のその他の課題は、本発明の説明により明らかになる。
【課題を解決するための手段】
【００１０】
本発明の一の態様にかかる印刷画像を利用するコンテンツ配信システムは、
画像が印刷された印刷物、
携帯端末、
前記携帯端末と通信ネットワークを介在して通信可能に接続される一または複数のサーバーからなる印刷画像を利用するコンテンツ配信システムであって、
前記携帯端末は、
印刷物の画像の一区画を撮影して区画撮影画像を得るカメラと、
前記区画撮影画像をサーバーに送信する送信手段と、
前記区画撮影画像に応じてサーバーから配信される特定コンテンツを受信する受信手段と、
前記特定コンテンツを再生する再生手段を備え、
前記サーバーは、
印刷物に印刷された画像の一区画及び全区画である区画基準画像であって、異なる区画に各々対応し、少なくとも単一の前記一区画を含みかつ前記全区画を含む複数の区画基準画像が予め記憶された区画基準画像記憶部と、
前記携帯端末から送信された区画撮影画像を受取る受取り手段と、
前記区画基準画像記憶部に記憶された区画基準画像を参照して、前記受取った区画撮影画像に最も類似する特定の区画基準画像を定める画像識別手段と、
前記画像識別手段により定められた特定区画基準画像に基づいて、前記携帯端末に配信するコンテンツを前記コンテンツ記憶部から選択するコンテンツ選択手段と、
前記コンテンツ選択手段が選択した特定コンテンツを前記携帯端末に配信する配信手段を備えている。
【００１１】
当該一の態様にかかる本発明の好ましい実施態様においては、
前記携帯端末の前記送信手段は、前記区画撮影画像をサーバーに送信すると共に携帯端末特定情報をサーバーに送信する送信手段であり、
前記サーバーは、
携帯端末特定情報と前記携帯端末に対応する属性を予め記憶した端末情報記憶部を備え、
前記コンテンツ記憶部は、前記属性と前記複数の区画基準画像に対応する複数のコンテンツを予め記憶しているコンテンツ記憶部であり、
前記サーバーの前記受取り手段は、前記携帯端末から送信された携帯端末特定情報と区画撮影画像を受取る受取り手段であり、
前記コンテンツ選択手段は、受取った携帯端末特定情報に基づいて前記端末情報記憶部に記憶された属性を取得し、取得した属性と前記画像識別手段により定められた特定区画基準画像に基づいて、前記携帯端末に配信するコンテンツを前記コンテンツ記憶部から選択するコンテンツ選択手段であってもよい。
【００１２】
本発明の他の態様にかかる印刷画像を利用するコンテンツ配信システムは、
画像が印刷された複数の印刷物、
携帯端末、
前記携帯端末と通信ネットワークを介在して通信可能に接続される一または複数のサーバーからなる印刷画像を利用するコンテンツ配信システムであって、
前記複数の印刷物は、一の画像が印刷された印刷物と、異なる画像が印刷された印刷物を含むものであり、
前記携帯端末は、
印刷物の画像を撮影して撮影画像を得るカメラと、
前記撮影画像をサーバーに送信する送信手段と、
前記撮影画像に応じてサーバーから配信される特定コンテンツを受信する受信手段と、
前記特定コンテンツを再生する再生手段を備え、
前記サーバーは、
印刷物に印刷された画像である基準画像であって、一の画像と異なる画像に各々対応する複数の基準画像が予め記憶された基準画像記憶部と、
前記複数の基準画像に対応する複数のコンテンツを予め記憶したコンテンツ記憶部を備え、
前記携帯端末から送信された撮影画像を受取る受取り手段と、
前記基準画像記憶部に記憶された基準画像を参照して、前記受取った撮影画像に最も類似する特定の基準画像を定める画像識別手段と、
前記画像識別手段により定められた特定基準画像に基づいて、前記携帯端末に配信するコンテンツを前記コンテンツ記憶部から選択するコンテンツ選択手段と、
前記コンテンツ選択手段が選択した特定コンテンツを前記携帯端末に配信する配信手段を備えている。
【００１３】
当該他の態様にかかる本発明の好ましい実施態様においては、
前記携帯端末の前記送信手段は、前記撮影画像をサーバーに送信すると共に携帯端末特定情報をサーバーに送信する送信手段であり、
前記サーバーは、
携帯端末特定情報と、前記携帯端末に対応する属性を予め記憶した端末情報記憶部を備え、
前記コンテンツ記憶部は、前記属性と前記複数の区画基準画像に対応する複数のコンテンツを予め記憶しているコンテンツ記憶部であり、
前記サーバーの前記受取り手段は、前記携帯端末から送信された携帯端末特定情報と区画撮影画像を受取る受取り手段であり、
前記コンテンツ選択手段は、受取った携帯端末特定情報に基づいて前記端末情報記憶部に記憶された属性を取得し、取得した属性と前記画像識別手段により定められた特定区画基準画像に基づいて、前記携帯端末に配信するコンテンツを前記コンテンツ記憶部から選択するコンテンツ選択手段であってもよい。
【００１４】
以上説明した本発明、本発明の好ましい実施態様、これらに含まれる構成要素は可能な限り組み合わせて実施することができる。
【発明の効果】
【００１５】
本発明の一の態様にあっては、印刷物の画像の一区画を撮影することにより、コンテンツ配信システムに参加することになる。すなわち、その他の構成とともに、印刷物の一区画を、携帯端末に付属するカメラで撮影することが配信要求の契機となるので、キー入力が不要となり、あるいは至近距離接近が不要となり、配信要求が物理的側面から簡便になるとともに、心理的側面から気軽となる。このため、気軽に参加可能なコンテンツ配信システムとなる。
【００１６】
また、その他の構成に加えて、印刷物の一区画を撮影すると、当該区画に応じた情報が配信される。これにより、意外性が付加され、より遊び心をくすぐるコンテンツ配信システムとなる。コンテンツ配信システムの運営者の観点からは、より多数の参加を期待でき、広告などの効果が向上する。
【００１７】
本発明の好ましい実施態様によれば、その他の構成に加えて、携帯端末所有者の属性に依存して配信されるコンテンツが変化するので、意外性をより一層付加することなる。コンテンツ配信システムの運営者の観点からは、より一層多数の参加を期待でき、広告などの効果が向上する。
【００１８】
本発明の他の態様にあっては、複数の印刷物中の一つを撮影することにより、コンテンツ配信システムに参加することになる。すなわち、その他の構成とともに、複数の印刷物の一つを、携帯端末に付属するカメラで撮影することが配信要求の契機となるので、キー入力が不要となり、あるいは至近距離接近が不要となり、配信要求が物理的側面から簡便になるとともに、心理的側面から気軽となる。このため、気軽に参加可能なコンテンツ配信システムとなる。
【００１９】
また、その他の構成に加えて、複数の印刷物の一つを撮影すると、当該印刷物に応じた情報が配信される。これにより、意外性が付加され、より遊び心をくすぐるコンテンツ配信システムとなる。コンテンツ配信システムの運営者の観点からは、より多数の参加を期待でき、広告などの効果が向上する。
【００２０】
本発明の好ましい実施態様によれば、その他の構成に加えて、携帯端末所有者の属性に依存して配信されるコンテンツが変化するので、意外性をより一層付加することなる。コンテンツ配信システムの運営者の観点からは、より一層多数の参加を期待でき、広告などの効果が向上する。
【発明を実施するための最良の形態】
【００２１】
以下、図面を参照して本発明の実施例にかかるコンテンツ配信システムをさらに説明する。本発明の実施例に記載した動作を司る部分や記憶部、その相対位置などは、とくに特定的な記載のない限りは、この発明の範囲をそれらのみに限定する趣旨のものではなく、単なる説明例にすぎない。
【００２２】
本発明にかかる第一コンテンツ配信システムを説明する。
【００２３】
図１は第一コンテンツ配信システム１０１の概略図であり、図２は第一コンテンツ配信システム１０１の動作フローチャートであり、図３は区画基準画像記憶部２４の内容説明図であり、図４は区画撮影画像の説明図であり、図５は第一参照表２７の内容説明図であり、図６は第一コンテンツ記憶部２６の内容説明図である。
【００２４】
図１を参照して、第一コンテンツ配信システム１０１は印刷物１、携帯端末１０、サーバー２０からなる。
【００２５】
本実施例にかかる印刷物１は、ペット商品販売の広告ポスターであり、小型犬、大型犬のイラストと、「ＰＥＴ  ＧＯＯＤＳ」の文字を含んでいる。本願発明にいう、「画像が印刷された印刷物」の「画像」とは、写真、具象イラスト、抽象イラスト、文字あるいはこれらの２又は３以上の混在物を意味するものである。
【００２６】
携帯端末１０とサーバー２０は、通信ネットワーク４０を介在して通信可能に接続される。通信ネットワーク４０は、例えば、携帯電話会社が提供するＩＰネットワークである。
【００２７】
携帯端末１０は、カメラ１１、送信部１２、受信部１３、再生部１４を備えている。携帯端末１０の好適な一例はカメラ付携帯電話、カメラ付通信機能付ＰＤＡである。
【００２８】
カメラ１１は静止画を撮影できればよい。従って、静止画カメラでもよく、ビデオカメラであってもよい。送信部１２と受信部１３は、広範な場所で使用できる観点から無線通信による送受信が可能なことが好ましい。
【００２９】
送信部１２と受信部１３は、主として携帯端末１０のＩ／Ｏ装置である。
【００３０】
再生部１４は、静止画像、ビデオ画像、音声などのいずれかが再生可能なものが好ましい。サーバー２０から配信されるコンテンツには、静止画像、ビデオ画像、音声、動画、文字データなどが含まれる。静止画像やビデオ画像の再生は、例えば、液晶表示装置により行われる。音声の再生は音声再生装置により行われる。また、本発明において、再生部１４は受信したデータの再生に加えて、取得したＵＲＬを使用してＷＥＢ上の特定ページに接続する動作を行う場合もある。当該接続動作は、(1) 取得したＵＲＬを使用してＷＥＢ上のページに接続し、その後ＷＥＢ上のページでブラウザのみを起動させて情報を送信する方法（専ら、画像や文字を見る）(2) 取得したＵＲＬを使用してＷＥＢ上の特定ページに接続し、その後ＷＥＢ上のページでブラウザとプレイヤーを連動させて情報を送信する方法（音楽、動画、画像、文字データ等を見る。）の両者を含むものである。以下では、一例として、配信コンテンツが静止画像である例を説明する。
【００３１】
サーバー２０は、区画基準画像記憶部２４、第一コンテンツ記憶部２６、受取り部２１、配信部２２、画像識別部２３、コンテンツ選択部２５などを備えている。区画基準画像記憶部２４と第一コンテンツ記憶部２６は、サーバーの記憶装置の一部分である。受取り部２１と配信部２２は、主としてサーバーのＩ／Ｏ装置である。画像識別部２３とコンテンツ選択部は、主としてサーバーに配置されたプログラムとＣＰＵにより構成される。
【００３２】
本発明にかかるサーバー２０は、物理的一体物であってもよく、別体の複数のサーバーが有線、無線で通信可能に接続されたものであってもよい。複数のサーバは、例えば、異なる機能を個々に担う場合がある。例えば、画像識別部２３、第一コンテンツ記憶部２６などを備えた一のサーバーと、画像識別部２３と区画基準画像記憶部２４などを備えた他のサーバーが、本発明にかかるサーバーを構成してもよい。上記後者のサーバーはＡＳＰサービスを行う画像識別サーバーーであってもよい。複数のサーバー間は、サーバー同士が通信し合うことによって機能する。
また、例えば、画像識別サーバーとコンテンツ選択などを担う他のサーバー間は、特定区画基準画像などのデータのやり取りが、例えば、固有のＵＲＬ等に基づきサーバー間を接続して行われるものであってもよく、また、携帯端末１０を介在してサーバー間を接続して行われるものであってもよい。さらに、画像識別手段は携帯端末側にあってもよい。
【００３３】
図３を参照して、区画基準画像記憶部２４には、印刷物１の区画基準画像が複数記憶されている。ここで、区画基準画像は、印刷物に印刷された画像の一部分である一区画の画像の場合があり、また、印刷物に印刷された画像の全部である全区画の画像である場合がある。複数の区画基準画像は、印刷物に印刷された画像の異なる区画に各々対応する。個々の区画基準画像は、その一部分が各々重なりあう場合がある。また、個々の区画基準画像は、重なりあう部分を持たない場合もある。
【００３４】
本例では、区画基準画像として、小型犬の画像データ２４１、大型犬の画像データ２４２が記憶され、さらに、小型犬と大型犬両者を含む全区画画像データ２４３が記憶されている。
【００３５】
本例において、印刷物１に印刷された小型犬と大型犬の画像は、間に余白部をおいて、離間して配置されていて、これに対応する小型犬の区画基準画像（２４１）と大型犬の区画基準画像（２４２）は周りに余白を配置したデータである。
【００３６】
しかし、本発明において、印刷物に印刷される画像は、必ずしも離間して配置される必要はない。また、画像は単数であってもよい。例えば、一の印刷物に人間の全身写真を印刷する。当該全身写真は単一、つまり一人の人間の写真である。区画基準画像として、腰付近の直線で分割した上半身画像と下半身画像、および全身画像を設定してもよい。ちなみに、上半身区画撮影画像に対応してトップに関する洋品コンテンツを配信し、下半身区画撮影画像に対応してボトムに関する洋品コンテンツを配信し、全身撮影画像に対応して全身コーディネートに関する洋品コンテンツを配信してもよい。
【００３７】
第一コンテンツ記憶部２６には、配信すべき複数の配信コンテンツが記憶されている。図６に示す第一コンテンツ記憶部２６のレコード番号１のコンテンツは、胴輪（ハーネス）の画像である。第一コンテンツ記憶部２６に記憶された複数のコンテンツは各々ＵＲＬが付与されていて、閲覧可能なＷＥＢページとなっている。
【００３８】
サーバー２０は、また、第一参照表（ルックアップテーブル）２７を備えている。第一参照表２７は、区画基準画像と配信すべきコンテンツのＵＲＬの対応を示すものである。本例では、小型犬の区画基準画像に対しては胴輪（ハーネス）の画像が配信され（レコード番号１）、大型犬の区画基準画像に対しては口輪の画像が配信（レコード番号２）される。
【００３９】
本実施例にあっては、コンテンツの配信動作は、サーバーから携帯端末へのＵＲＬの送信、携帯端末からＵＲＬへの接続要求、ＵＲＬとの接続確立により行われる。本願発明にいう、サーバーから携帯端末へのコンテンツの配信は、上記のようなＵＲＬのやり取りを介在して行われる配信動作を含むものである。
【００４０】
次に、図２などを参照して、第一コンテンツ配信システム１０１の動作を説明する。
【００４１】
ステップＣ１で携帯電話のカメラ１１を使用して、印刷物の画像の一区画を撮影して区画撮影画像を得る。
【００４２】
図４を参照して、例えば小型犬の区画を撮影するにあたっては、余白を大きくとった破線区画５１に示す範囲を撮影してもよく、また、小型犬の一部である破線区画５２に示す範囲を撮影してもよい。破線区画５２では、小型犬の画像の一部が欠落している。
【００４３】
次にステップＣ２で、携帯端末１０から区画撮影画像をサーバー２０に送信する。
【００４４】
ステップＳ１で、サーバーの受取り部２１は区画撮影画像を受取る。
【００４５】
ステップＳ２で、画像識別部２３は、受取った区画撮影画像と、区画基準画像記憶部２４に記憶された複数の区画基準画像を比較し、最も類似度が高い特定区画基準画像を定める。本例の場合は、特定基準画像は小型犬の画像となる。画像識別部は、データの類似度判定を行う、例えば、パターンマッチング、統計的識別法、構造的識別法などを採用する公知のプログラムを使用すればよい。
【００４６】
画像認識は例えば以下の手順で行う。まず、印刷物に印刷された画像から、入力系を通してデジタル化された画像信号を得る。そして、歪みやノイズを取り除き、拡大、縮小、回転など補正処理を施した後、特徴抽出を行って特徴パラメータあるいは特徴ベクトルを求める。こうして得られた特徴量の中から標準パターンに合致した特徴量、あるいは近い特徴量を識別によって決定し、それが属すカテゴリーに対応づけする操作を行うことにより完了する。
【００４７】
類似度判定を行うので、区画撮影画像に対して、余白、必須含有領域などに、格別の要求は必要とされない。
【００４８】
ステップＳ３で、コンテンツ選択部２５は、第一コンテンツ記憶部２６に記憶された複数のコンテンツの中から、特定区画基準画像に対応するコンテンツを選択する。具体的には、第一参照表２７を参照して、特定区画基準画像に対応する一のコンテンツを選択する。本例の場合であれば、小型犬の画像に対応する胴輪のコンテンツが選択される。
【００４９】
ステップＳ４で、配信部２２は、携帯端末１０に向けて特定コンテンツのＵＲＬを配信する。
【００５０】
ステップＣ３で、受信部１３は特定コンテンツのＵＲＬを受信する。
【００５１】
ステップＣ４で、再生部１４は当該ＵＲＬに接続し、特定コンテンツを再生する。本例では、胴輪の静止画像が配信されるので、当該胴輪の画像が携帯端末１０の表示装置に表示される。
【００５２】
続いて第二コンテンツ配信システムを説明する。図７は第二コンテンツ配信システム１０２の概略図であり、図８は第二コンテンツ配信システム１０２の動作フローチャートであり、図９は第二端末情報記憶部２８の内容説明図であり、図１０は第二参照表２９の内容説明図である。
【００５３】
第二コンテンツ配信システム１０２は、上記で説明した第一コンテンツ配信システム１０１に部分を追加するものであり、第一コンテンツ配信システムと同一部分には、同一の符号を付している。以下、第二コンテンツ配信システム１０２で付加されている部分を中心に説明する。
【００５４】
携帯端末１０は、携帯端末情報記憶部１５を備えている。携帯端末情報記憶部１５は、携帯端末特定情報を記憶する部分である。通常、携帯端末特定情報は、携帯電話などの製造時に付与されている固体識別番号、例えば製造番号、特定端末の製造番号、若しくは特定端末に使用するカード製造番号等を用いる。またこれらの他に、メールアドレスや電話番号を携帯端末特定情報として用いてもよい。本例では、携帯端末特定情報として固体識別番号を用いており、携帯端末情報記憶部１５は、装置に固有の記憶部分である。
【００５５】
サーバー２０は、第二端末情報記憶部２８を備えている。図９を参照して、第二端末情報記憶部２８には、携帯端末一台ごとに、その携帯端末特定情報と、接続回数、属性が記憶されている。例示した属性１は、携帯端末所有者の飼い犬が、室内で飼われているか屋外で飼われているかを記録したものである。その他の属性としては、犬の年齢、呼び名、性別等々を自由に定めることができる。
【００５６】
携帯端末特定情報と属性は、例えば、ＡＳＰサービスサーバーに会員登録のためのプログラムを備えておいて、会員候補者が携帯端末から当該ＡＳＰサービスサーバーにアクセスし、携帯端末に入力した属性をサーバーに集め、端末情報記憶部２８に記憶することにより行われる。また、葉書などによる会員登録情報を、入力することによって、記憶してもよい。ここで、携帯端末に入力した属性や会員登録情報は、端末を使用する者自身の情報であってもよいし、端末を使用する者の所有物等の情報であってもよい。
【００５７】
第二端末情報記憶部２８に記憶される属性は、不明であってもよい。例えば、予め記憶される犬の性別に関する属性としては、オス、メス、不明の３区分が存在する。
【００５８】
予め記憶される接続回数は、ゼロまたは正の整数である。
【００５９】
加算部３９は、端末情報記憶部２８に記憶されている情報において、接続された特定携帯端末のレコード中の接続回数を、１加算するものである。
【００６０】
図８を参照して、第二コンテンツ配信システム１０２の動作を説明する。
【００６１】
ステップＣ１で、カメラ１１で区画撮影画像を撮影する。
【００６２】
ステップＣ２１で、携帯端末１０から、区画撮影画像と携帯端末特定情報を、サーバー２０に送信する。区画撮影画像と携帯端末特定情報は、一連のパケット通信により送信してもよく、別々のパケット通信により送信してもよい。
【００６３】
ステップＳ１１で、サーバー２０は、区画撮影画像と携帯端末特定情報を受取る。
【００６４】
ステップＳ２で、画像識別部２３は、区画撮影画像を識別し、特定区画基準画像を同定する。
【００６５】
ステップＳ２１で、コンテンツ選択部２５は第二端末情報記憶部２８を参照し、記憶されたレコードの中から、受取った携帯端末特定情報に対応する、接続回数と属性を取得する。
【００６６】
ステップＳ３で、コンテンツ選択部２５は第二参照表２９を参照する。図１０を参照して、第二参照表２９は、区画基準画像の種別と接続回数と属性に対応するコンテンツのＵＲＬを記載した表である。本例では、接続回数が１１回、２１回と、１０回ごとにクーポン券コンテンツが配信されることになっている。
【００６７】
ステップＳ４で、サーバー２０から特定コンテンツのＵＲＬが、携帯端末１０に配信される。
【００６８】
ステップＳ５で、携帯情報記憶部２８に記憶されている、受取り手段が受取った携帯端末特定情報に対応した接続回数を１接続回加算する。ステップＳ５の加算工程は、必ずしもステップＳ４の後である必要は無く、Ｓ１１の後であれば、どの時点で実行してもよい。
【００６９】
端末情報記憶部２８中に接続回数を記憶してもよく、記憶しなくてもよい。接続回数を記憶しない場合は、ステップＳ２１でコンテンツ選択部２５は第二端末情報記憶部２８を参照し、記憶されたレコードの中から、受取った携帯端末特定情報に対応する属性を取得する。また、接続回数の加算工程はない。
【００７０】
接続回数を記憶し、接続回数に応じて配信コンテンツを変化させれば、より一層意外性が付加されるコンテンツ配信システムとなる。
【００７１】
ステップＣ３で携帯端末１０が特定コンテンツのＵＲＬを受信し、ステップＣ４でこれに接続し、当該コンテンツを再生する。
【００７２】
続いて本発明にかかる第三コンテンツ配信システムを説明する。
【００７３】
図１１は第三コンテンツ配信システム１０３の概略図であり、図１２は第三コンテンツ配信システム１０３１の動作フローチャートであり、図１３は基準画像記憶部３１の内容説明図であり、図１４は第三参照表３３の内容説明図であり、図１５は第三コンテンツ記憶部３２の内容説明図である。
【００７４】
第三コンテンツ配信システム１０３の構成と動作は、すでに説明した第一コンテンツ配信システム１０１の構成と動作と類似しており、ここでは、相違点を中心に説明する。また、第三コンテンツ配信システム１０３の構成部分で、第一コンテンツ配信システムの構成部分と共通する部分には、同一の符号を付している。
【００７５】
第三コンテンツ配信システムは、一の画像が印刷された印刷物６と、他の画像が印刷された印刷物７を含む。印刷物６と７は、ペット食品販売の広告ポスターであり、印刷物６は右向き犬のイラストが、印刷物７は左向き犬のイラストが印刷されている。印刷物６と印刷物７は同一のペット食品製造元の広告ポスターであって、印刷物６は専門店の店頭などに掲示され、印刷物７は量販店の店頭などに掲示されることを想定している。
【００７６】
携帯端末１０とサーバー２０は、通信ネットワーク４０を介在して通信可能に接続される。
【００７７】
携帯端末１０は、カメラ１１、送信部１２、受信部１３、再生部１４を備えている。
【００７８】
サーバー２０は、基準画像記憶部３１、第三コンテンツ記憶部３２、受取り部２１、配信部２２、画像識別部２３、コンテンツ選択部２５などを備えている。
【００７９】
図１３を参照して、基準画像記憶部３１には、印刷物６と７の画像に対応した２つの基準画像が記憶されている。本例では、右抜き犬の画像データ３１１と左向き犬の画像データ３１２が記憶されている。
【００８０】
第三コンテンツ記憶部３２には、配信すべき複数の配信コンテンツが記憶されている。すなわち、レコード番号１は缶詰ドッグフードの画像であり、レコード番号２は紙袋詰ドッグフードの画像である。図１５に示すように、第三コンテンツ記憶部３２に記憶された複数のコンテンツは各々ＵＲＬが付与されていて、閲覧可能なＷＥＢページとなっている。
【００８１】
サーバー２０は、また、第三参照表３３を備えている。第三参照表３３は、基準画像と配信すべきコンテンツのＵＲＬの対応を示すものである。本例では、左向き犬の基準画像に対しては袋詰ドッグフードに関する画像が配信され、右向き犬の基準画像に対しては紙袋詰ドッグフードの画像が配信される。
【００８２】
図１２などを参照して、第三コンテンツ配信システム１０３の動作を説明する。ステップＣ３１で携帯電話のカメラ１１を使用して、一の印刷物の画像を撮影して撮影画像を得る。すなわち、撮影画像は印刷物６か印刷物７の画像となる。当該撮影画像は、印刷物の全体画像であってもよく、一部分を欠く画像であってもよい。
【００８３】
次にステップＣ３２で、携帯端末１０から撮影画像をサーバー２０に送信する。
【００８４】
ステップＳ３１で、サーバーの受取り部２１は撮影画像を受取る。
【００８５】
ステップＳ３２で、画像識別部２３は、受取った撮影画像と、基準画像記憶部３１に記憶された基準画像を比較し、最も類似度が高い特定基準画像を定める。
【００８６】
ステップＳ３３で、コンテンツ選択部２５は、第三コンテンツ記憶部３２に記憶された複数のコンテンツの中から、特定基準画像に対応するコンテンツを選択する。具体的には、第三参照表３３を参照して、特定基準画像に対応する一のコンテンツを選択する。レコード番号１に記述されているように、左向きの犬に対しては末尾の数字１０１のＵＲＬ（缶詰ドッグフードの画像）が選択される。
【００８７】
ステップＳ３４で、配信部２２は、携帯端末１０に向けて特定コンテンツのＵＲＬを配信する。
【００８８】
ステップＣ３３で、受信部１３は特定コンテンツのＵＲＬを受信する。
【００８９】
ステップＣ３４で、再生部１４は当該ＵＲＬに接続し、特定コンテンツを再生する。
【００９０】
続いて第四コンテンツ配信システムを説明する。図１６は第四コンテンツ配信システム１０４の概略図であり、図１７は第四コンテンツ配信システム１０４の動作フローチャートであり、図１８は第四端末情報記憶部３４の内容説明図であり、図１９は第四参照表３５の内容説明図である。
【００９１】
第四コンテンツ配信システム１０４は、上述した第三コンテンツ配信システム１０３に部分を追加するものであり、第三コンテンツ配信システムと同一部分には、同一の符号を付している。以下、第四コンテンツ配信システム１０４で付加されている部分を中心に説明する。
【００９２】
携帯端末１０は、携帯端末情報記憶部１５を備えている。
【００９３】
サーバー２０は、第四端末情報記憶部３４を備えている。図１８を参照して、第四端末情報記憶部３４には、携帯端末一台ごとに、その携帯端末特定情報と、接続回数、属性が記憶されている。例示した属性１は、携帯端末所有者の飼い犬が、大型犬か小型犬かを記録したものである。
【００９４】
加算部３９は、第四端末情報記憶部３４に記憶されている情報において、接続された特定携帯端末のレコード中の接続回数を、１加算するものである。
【００９５】
図１７を参照して、第四コンテンツ配信システム１０４の動作を説明する。
【００９６】
ステップＣ３１において、カメラ１１で撮影画像を撮影する。
【００９７】
ステップＣ３２１で、携帯端末１０から、撮影画像と携帯端末特定情報をサーバー２０に送信する。
【００９８】
ステップＳ３１１で、サーバー２０は、撮影画像と携帯端末特定情報を受取る。
【００９９】
ステップＳ３２で、画像識別部２３は、撮影画像を識別し、特定基準画像を同定する。
【０１００】
ステップＳ３２１で、コンテンツ選択部２５は第四端末情報記憶部３４を参照し、記憶されたレコードの中から、受取った携帯端末特定情報に対応する、接続回数と属性を取得する。
【０１０１】
ステップ３３で、コンテンツ選択部２５は第四参照表２９を参照する。図１９を参照して、第四参照表３５は、基準画像の種別と接続回数と属性に対応するコンテンツのＵＲＬを記載した表である。本例では、接続回数が１１回、２１回と、１０回ごとにクーポン券コンテンツが配信されることになっている（レコード番号１、４参照）。
【０１０２】
ステップＳ３４で、サーバー２０から特定コンテンツのＵＲＬが、携帯端末１０に配信される。
【０１０３】
ステップＳ３５で、携帯情報記憶部２８に記憶されている、受取り手段が受取った携帯端末特定情報に対応した接続回数を１接続回加算する。
【０１０４】
ステップＣ３３で携帯端末１０が当該ＵＲＬを受信し、ステップＣ３４で、再生部１４が当該ＵＲＬに接続し、特定コンテンツを再生する。
【０１０５】
なお、以下の諸点は、第二コンテンツ配信システムの場合と同様である。
（１）第四端末情報記憶部３４に記憶される属性は、不明であってもよい。（２）予め記憶される接続回数は、ゼロまたは正の整数である。（３）ステップＳ３５の加算工程は、必ずしもステップＳ３４の後である必要は無く、Ｓ３１１の後であれば、どの時点で実行してもよい。（４）第四端末情報記憶部２８中に接続回数を記憶してもよく、記憶しなくてもよい。
【０１０６】
以上説明した、第一、第二、第三、第四コンテンツ配信システムの実施例において、参照表（２７、２９、３２、３５）は、コンテンツ記憶部（２６又は３２）の中に組み込まれていてもよい。また、特定コンテンツＷＥＢページのＵＲＬを携帯端末へ送信し、携帯端末が特定のＷＥＢページに接続する代わりに、コンテンツ記憶部（２６又は３２）中の特定コンテンツをコピーして、直接携帯端末に配信することもできる。
【図面の簡単な説明】
【０１０７】
【図１】第一コンテンツ配信システム１０１の概略図である。
【図２】第一コンテンツ配信システム１０１の動作フローチャートである。
【図３】区画基準画像記憶部２４の内容説明図である。
【図４】区画撮影画像の説明図である。
【図５】第一参照表２７の内容説明図である。
【図６】第一コンテンツ記憶部２６の内容説明図である。
【図７】第二コンテンツ配信システム１０２の概略図である。
【図８】第二コンテンツ配信システム１０２の動作フローチャートである。
【図９】第二端末情報記憶部２８の内容説明図である。
【図１０】第二参照表２９の内容説明図である。
【０１０８】
【図１１】第三コンテンツ配信システム１０３の概略図である。
【図１２】第三コンテンツ配信システム１０３の動作フローチャートである。
【図１３】基準画像記憶部３１の内容説明図である。
【図１４】第三参照表３３の内容説明図である。
【図１５】第三コンテンツ記憶部３２の内容説明図である。
【図１６】第四コンテンツ配信システム１０４の概略図である。
【図１７】第四コンテンツ配信システム１０４の動作フローチャートである。
【図１８】第四端末情報記憶部３４の内容説明図である。
【図１９】第四参照表３５の内容説明図である。
【符号の説明】
【０１０９】
１、６、７    印刷物
１０    携帯端末
１１    カメラ
１２    送信部
１３    受信部
１４    再生部
１５    携帯端末情報記憶部
２０    サーバー
２１    受取り部
２２    配信部
２３    画像識別部
２４    区画基準画像記憶部
２５    コンテンツ選択部
２６    第一コンテンツ記憶部
２７    第一参照表
２８    第二端末情報記憶部
２９    第二参照表
【０１１０】
３１    基準画像記憶部
３２    第三コンテンツ記憶部
３３    第三参照表
３４    第四端末情報記憶部
３５    第四参照表
３９    加算部
４０    通信ネットワーク
１０１    第一コンテンツ配信システム
１０２    第二コンテンツ配信システム
１０３    第三コンテンツ配信システム
１０４    第四コンテンツ配信システム
【図１】
0005096841.tif 000002
【図２】
0005096841.tif 000003
【図３】
0005096841.tif 000004
【図４】
0005096841.tif 000005
【図５】
0005096841.tif 000006
【図６】
0005096841.tif 000007
【図７】
0005096841.tif 000008
【図８】
0005096841.tif 000009
【図９】
0005096841.tif 000010
【図１０】
0005096841.tif 000011
【図１１】
0005096841.tif 000012
【図１２】
0005096841.tif 000013
【図１３】
0005096841.tif 000014
【図１４】
0005096841.tif 000015
【図１５】
0005096841.tif 000016
【図１６】
0005096841.tif 000017
【図１７】
0005096841.tif 000018
【図１８】
0005096841.tif 000019
【図１９】
0005096841.tif 000020